(57)【要約】【課題】  障子の取付作業性を向上できる部品点数の少ない縦すべり出し窓のコストの低減化、生産管理の簡素化及び信頼性の向上を図る。【解決手段】  枠側プレート２２に設けられたガイドレール３１と、一端部２６が枠側プレート２２の一端部に垂直軸まわりに回動可能に連結され、他端部２７が障子側プレート２１の中間部に垂直軸まわりに回動可能に連結されたアーム２４と、一端部２８が障子側プレート２１の一端部に垂直軸まわりに回動可能に連結され、他端部がガイドレール３１により枠側プレート２２の長手方向に移動可能に案内されたスライダ２５と、スライダ２５の移動を規制する一対のストッパ２９，３０とを備え、上ステー３のストッパ２９，３０に枠側プレート２２から上側に突出する係合凸部２９ａ，３０ａを設け、該係合凸部が係合する係合穴１５，１６を窓枠１の上枠５に形成した。【選択図】        図１
2006104716.tif 000002
【特許請求の範囲】
【請求項１】
上ステーの障子側プレートを障子の上框に取付けると共に下ステーの障子側プレートを該障子の下框に取付け、該上ステー及び下ステーの枠側プレートをそれぞれ窓枠の上枠及び下枠に取付けてなる、該窓枠内に組み込まれた該障子を室外側へ開くことができる縦すべり出し窓であって、
前記枠側プレートに設けられた、該枠側プレートの長手方向に延びるガイドレールと、
一端部が前記枠側プレートの長手方向の一端部に垂直軸まわりに回動可能に連結され、他端部が前記障子側プレートの長手方向の中間部に垂直軸まわりに回動可能に連結されたアームと、
一端部が前記障子側プレートの長手方向の、前記障子が開いた状態での窓枠側端部に垂直軸まわりに回動可能に連結され、他端部が前記ガイドレールにより前記枠側プレートの長手方向に移動可能に案内されたスライダと、
該スライダの移動を前記枠側プレートの長手方向の前後で規制する、該枠側プレートに取付けられた一対のストッパとを備えてなり、
前記上ステーの一対のストッパに前記枠側プレートから上側に突出する係合凸部を設けると共に、該係合凸部が係合する係合凹部又は係合穴を前記窓枠の上枠に形成し、前記下ステーの枠側プレートを室外側から載置可能な載置部を前記窓枠の下枠に形成してなる縦すべり出し窓。
【発明の詳細な説明】
【技術分野】
【０００１】
本発明は、リンク機構を構成する窓用ステーにより障子を窓枠に対して開閉可能に支持してなる縦すべり出し窓に関するものである。
【背景技術】
【０００２】
リンク機構を構成する上下一対の窓用ステーにより障子を窓枠に対して開閉可能に支持してなる縦すべり出し窓は、良好な密閉性が得られること及び室内側から障子の両面を拭き掃除することができること等の特長があるため広く用いられている。また、縦すべり出し窓は、リンク機構を構成する上ステー及び下ステーの障子側プレートをそれぞれ障子の上框及び下框に取付けると共に該上ステー及び下ステーの枠側プレートをそれぞれ窓枠の上枠及び下枠に取付け、該窓枠の左右一方の縦枠から該障子の一方の縦框を開閉可能として該障子を該窓枠に対して室外側に回動可能に構成される。
【０００３】
このような従来の縦すべり出し窓において、障子の取付けを一人の作業者によって行うことができる部品点数の少ない簡単な構成の縦すべり出し窓を提供することを目的として、障子の上框に取付けられた上ステーの枠側プレートに複数の係合片を切り起こしにより形成し、窓枠の上枠には前記係合片のそれぞれが挿入される位置決め孔を形成し、前記窓枠の下枠には障子の下框に取付けられた下部ステーの枠側プレートを室外側から載置可能な平坦部を設けた構成を採用してなるものがある（例えば、特許文献１参照。）。
【０００４】
【特許文献１】特開２００４−６８２９８号公報（図１−２、図４）
【発明の開示】
【発明が解決しようとする課題】
【０００５】
障子の回動軸が縦軸（垂直軸）である縦すべり出し窓には、前記のとおり上ステー及び下ステーが必要となる。また、障子の回動方向（開き方向）が異なる２つのタイプ、右開きタイプ及び左開きタイプがある。ここで、上ステーの枠側プレートに係合片を切り起こしにより形成してなる特許文献１の縦すべり出し窓の構成では、右開きタイプの上ステーの枠側プレートと左開きタイプの下ステーの枠側プレートとを共通化することができないものである。また、同様に、右開きタイプの下ステーの枠側プレートと左開きタイプの上ステーの枠側プレートとを共通化することができないものである。
【０００６】
したがって、特許文献１の縦すべり出し窓の構成では、４種類の枠側プレートが必要になるため、これらの枠側プレート用の４種類の金型が必要になること等からコストが増大すること及び生産管理がより複雑になること等の問題点がある。
【０００７】
また、特許文献１の縦すべり出し窓の構成では、切り起こしにより形成された複数の係合片が挿入される角形の位置決め孔を窓枠の上枠に複数形成しており、該位置決め孔に該係合片を挿入した後、障子の上部を室外側に引く操作によって該位置決め孔の室外側の内周縁に該係合片を当接させることによって、枠側プレートに設けられたねじ挿入孔と前記上枠に形成されたねじ孔とを一致させるようにしている。
【０００８】
したがって、特許文献１の縦すべり出し窓の構成では、前記上枠に形成する複数の位置決め孔が角形であるため、該位置決め孔の形状精度及び位置精度を向上することは困難である。そして、該複数の位置決め孔に前記複数の係合片を挿入した後、障子の上部を室外側に引く操作によって該位置決め孔の室外側の内周縁に該係合片を当接させて位置決めするため、該位置決めの精度の低下により前記障子の取付け作業の信頼性が低下するという問題点がある。
【０００９】
本発明は、前記のような問題点を解決するためになされたものであり、障子の取付けを一人の作業者によって行うことができる部品点数の少ない簡素な構成の縦すべり出し窓を得ることを目的とする。また、２種類の枠側プレートのみで右開きタイプと左開きタイプを構成することができ、コストの低減化及び生産管理の簡素化を図ることができる縦すべり出し窓を得ることを目的とする。さらに、上枠に形成する係合穴等を精度よく形成することができると共に、該係合穴等と該係合穴等に係合する枠側プレートに設けられる係合凸部との位置決め精度を向上することができる、前記取付け作業の信頼性が高い縦すべり出し窓を得ることを目的とする。
【課題を解決するための手段】
【００１０】
本発明に係る縦すべり出し窓は、上ステーの障子側プレートを障子の上框に取付けると共に下ステーの障子側プレートを該障子の下框に取付け、該上ステー及び下ステーの枠側プレートをそれぞれ窓枠の上枠及び下枠に取付けてなる、該窓枠内に組み込まれた該障子を室外側へ開くことができる縦すべり出し窓であって、前記枠側プレートに設けられた、該枠側プレートの長手方向に延びるガイドレールと、一端部が前記枠側プレートの長手方向の一端部に垂直軸まわりに回動可能に連結され、他端部が前記障子側プレートの長手方向の中間部に垂直軸まわりに回動可能に連結されたアームと、一端部が前記障子側プレートの長手方向の、前記障子が開いた状態での窓枠側端部に垂直軸まわりに回動可能に連結され、他端部が前記ガイドレールにより前記枠側プレートの長手方向に移動可能に案内されたスライダと、該スライダの移動を前記枠側プレートの長手方向の前後で規制する、該枠側プレートに取付けられた一対のストッパとを備えてなり、前記上ステーの一対のストッパに前記枠側プレートから上側に突出する係合凸部を設けると共に、該係合凸部が係合する係合凹部又は係合穴を前記窓枠の上枠に形成し、前記下ステーの枠側プレートを室外側から載置可能な載置部を前記窓枠の下枠に形成してなるものである。
【発明の効果】
【００１１】
本発明に係る縦すべり出し窓によれば、上ステーの障子側プレートを障子の上框に取付けると共に下ステーの障子側プレートを該障子の下框に取付け、該上ステー及び下ステーの枠側プレートをそれぞれ窓枠の上枠及び下枠に取付けてなる、該窓枠内に組み込まれた該障子を室外側へ開くことができる縦すべり出し窓であって、前記枠側プレートに設けられた、該枠側プレートの長手方向に延びるガイドレールと、一端部が前記枠側プレートの長手方向の一端部に垂直軸まわりに回動可能に連結され、他端部が前記障子側プレートの長手方向の中間部に垂直軸まわりに回動可能に連結されたアームと、一端部が前記障子側プレートの長手方向の、前記障子が開いた状態での窓枠側端部に垂直軸まわりに回動可能に連結され、他端部が前記ガイドレールにより前記枠側プレートの長手方向に移動可能に案内されたスライダと、該スライダの移動を前記枠側プレートの長手方向の前後で規制する、該枠側プレートに取付けられた一対のストッパとを備えてなり、前記上ステーの一対のストッパに前記枠側プレートから上側に突出する係合凸部を設けると共に、該係合凸部が係合する係合凹部又は係合穴を前記窓枠の上枠に形成し、前記下ステーの枠側プレートを室外側から載置可能な載置部を前記窓枠の下枠に形成してなるので、障子の取付けを一人の作業者によって行うことができる部品点数の少ない簡素な構成の縦すべり出し窓を得ることができる。また、２種類の枠側プレートのみで右開きタイプと左開きタイプを構成することができ、コストの低減化及び生産管理の簡素化を図ることができる。さらに、上枠に形成する係合穴等を精度よく形成することができると共に、該係合穴等と該係合穴等に係合する枠側プレートに設けられる係合凸部との位置決め精度を向上することができるため、前記取付け作業の信頼性を向上することができる。
【発明を実施するための最良の形態】
【００１２】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側から室外側へ向かう方向の前側を前、後側を後とし、前方から後方に向かって左右を左右とし、前方から見た図を正面図とする。また、障子については、最も閉じた状態において、前記方向の定義を用いる。
【００１３】
図１及び図２は、本発明の実施の形態に係る縦すべり出し窓の構成を示す分解斜視図及び縦断正面図である。また、図３は、上下一対の窓用ステー（右開きタイプ）の例を示す斜視図であり、図３（ａ）は上ステー３を、図３（ｂ）は下ステー４を示している。窓枠１は上枠５及び下枠６並びに左右の縦枠７及び８により構成され、障子２は上框９及び下框１０並びに左右の縦框１１及び１２により構成される。また、上ステー３と下ステー４とは水平面に対して略対称に形成されているものであり、上ステー３と下ステー４とは後述するようにスライダ２５の移動を枠側プレート２２の長手方向の前後で規制するストッパ２９，３０のみが水平面に対して対称ではなく、異なる形状の部品となっている。すなわち、上ステー３のストッパ２９，３０には枠側プレート２２から上側に突出する係合凸部２９ａ，３０ａが設けられているが、下ステー４のストッパ２９，３０にはこのような枠側プレート２２から下側に突出する係合凸部は設けられていない。
【００１４】
リンク機構を構成する上ステー３及び下ステー４の障子側プレート２１，２１は、それぞれ障子２の上框９及び下框１０に、取付穴４２・・・を用いて図示しない取付ねじにより固定される（ステップ１）。この状態で、上ステー３及び下ステー４の枠側プレート２２，２２をそれぞれ窓枠１の上枠５及び下枠６に、取付穴４１・・・を用いて図示しない取付ねじにより固定することにより（ステップ２）、窓枠１の左右一方（図１及び図２の例では右方）の縦枠８から障子２の左右一方（図１及び図２の例では右方）の縦框１２を開閉可能として、障子２が窓枠１に対して室外側に回動可能となる。
【００１５】
本発明においては、前記のように上ステー３のストッパ２９，３０に枠側プレート２２から上側に突出する係合凸部２９ａ，３０ａが設けられており、窓枠１の上枠５には係合凸部２９ａ，３０ａが係合する係合凹部又は係合穴１５，１６が形成されている。したがって、前記ステップ１により、障子２の上框９及び下框１０に上ステー３及び下ステー４を固定した状態で、上ステー３のストッパ２９，３０に設けた係合凸部２９ａ，３０ａを窓枠１の上枠５に形成した係合凹部又は係合穴１５，１６に係合させ、下ステー４の枠側プレート２２を窓枠１の下枠６に形成した載置部１４上に室外側から載置し、障子２を戸当り１３に当接させることにより、障子２は窓枠１内に安定状態で保持される。この状態で前記ステップ２により枠側プレート２２，２２をそれぞれ窓枠１の上枠５及び下枠６に螺設することにより、窓枠１への障子２の取付け作業は、一人の作業者によって容易に行うことができる。
【００１６】
ここで、ストッパ２９，３０としては例えば、ステンレス鋼又は炭素鋼等からなるリベット、ボルト又はピン等を採用することができる。また、リベット又はボルトをストッパ２９，３０として用いる場合において、上ステー３の枠側プレートから上側に突出する係合凸部２９ａ，３０ａは、ストッパとして用いるリベット又はボルトの頭部を突出させればよい。そして、例えば、障子２の大きさ等によるが、係合凸部２９ａ，３０ａの突出量は２ｍｍ〜５ｍｍ程度、係合凸部２９ａ，３０ａの直径は４〜６ｍｍ程度とすればよい。さらに、窓枠１の上枠５に形成される係合凹部又は係合穴１５，１６の径は、係合凸部２９ａ，３０ａの径よりも約１〜２ｍｍ程度大きく形成し、係合凸部２９ａ，３０ａ及び係合凹部又は係合穴１５，１６の少なくともどちらかの角部にはＣ０．５〜Ｃ１程度の面取り面を形成すれば、前記取付け作業の作業性をさらに向上することができる。
【００１７】
また、前記ストッパ２９，３０として用いるリベット、ボルト又はピン等は、ガイドレール２３の上下の略水平板間に架設され、該上下の略水平板により支持される。そして、上ステー３の枠側プレート２２からリベット若しくはボルトの頭部又はピン等を突出させることにより係合凸部２９ａ，３０ａとしてなると、該リベット、ボルト又はピン等が、ストッパとしての機能と前記取付け作業を容易に行うための機能とを併有するため、より簡素な構成により本願発明に係る縦すべり出し窓を実現することができ、コストの低減化を図ることができる。
【００１８】
さらに、係合凸部２９ａ，３０ａがリベット若しくはボルトの頭部又はピン等からなる略円柱状のものであり、窓枠１の上枠５に形成される、係合凸部２９ａ，３０ａが係合する係合凹部又は係合穴１５，１６が丸穴状のものであるので、例えば係合凹部を角穴状とする場合に比べ、該係合凹部又は係合穴１５，１６の形状精度及び位置精度を容易に向上することができる。さらにまた、該係合凹部又は係合穴１５，１６に係合する係合凸部２９ａ，３０ａの形状精度及び位置精度を向上することも容易であるため、該係合凸部２９ａ，３０ａを該係合凹部又は係合穴１５，１６に係合させる前記取付け作業の信頼性を向上することができる。
【００１９】
図４及び図５は、下ステー（右開きタイプ）の平面図（上方から見た図）であり、図４は障子が最も開いた状態を、図５は障子が閉じた状態（実線）及び障子が閉じた状態と最も開いた状態との中間位置にある状態（２点鎖線）を示している。前記のとおり、上ステー３及び下ステー４は、水平面に対して略対称なものであり、上ステー３の前記係合凸部２９ａ，３０ａ以外は同様の機能を有するものであるため、下ステー４を例にとって窓ステーの構成及び動作を説明する。
【００２０】
枠側プレート２２には、枠側プレート２２の長手方向に延びるガイドレール２３が設けられている。そして、アーム２４の一端部２６は枠側プレート２２の長手方向の一端部に垂直軸まわりに回動可能に連結され、アーム２４の他端部２７は障子側プレート２１の長手方向の中間部に垂直軸まわりに回動可能に連結されている。また、スライダ２５の一端部２８は、障子側プレート２１の長手方向の、障子２が開いた状態での窓枠１側端部に垂直軸まわりに回動可能に連結され、スライダ２５の他端部（被ガイド部２５ａ等）はガイドレール２３により枠側プレート２２の長手方向に移動可能に案内されている。
【００２１】
スライダ２５のガイドレール２３に沿っての移動は、該移動の前後（枠側プレート２２の長手方向の前後）位置に設けられたストッパ２９，３０により規制される。すなわち、窓枠１に対して障子２が最も開いた状態（図４参照。）ではスライダ２５のストッパ当接部２５ｂが、ストッパ３０に当接してスライダ２５の移動が規制される。したがって、窓枠１に対して障子２が最も開いた状態（例えば窓枠１に対して障子２が約９０°開いた状態）においても、ステー４のリンク機構が死点に近づくのが抑制されて、該リンク機構が安定状態に維持されるため、風圧等が障子２に作用しても障子２が不安定になることはない。
【００２２】
次に、窓枠１に対して障子２が最も開いた状態（図４参照。）から、障子２を閉じる動作及びストッパ２９の作用について説明する。枠側プレート２２の長手方向に延びるガイドレール２３には、ナイロン又はポリアセタール等の樹脂成形品であるスライダ２５がガイドレール２３に沿って移動可能となるように、スライダ２５の被ガイド部２５ａが係合するスライドガイド部３１が形成されている。また、枠側プレート２２の前端には、スライダ２５の下面に形成した図示しない溝に係合する、ガイドレール２３と平行に延びる垂直のリブ３２が形成されているため、該リブ３２によってもスライダ２５は枠側プレート２２の長手方向に移動可能にガイドされる。
【００２３】
図４の窓枠１に対して障子２が最も開いた状態から、図５のようにスライダ２５を左方にスライドさせると、スライダ２５がストッパ２９に当接して、ストッパ２９がスライダ２５のストッパ係合溝３４に係合する位置で、スライダ２５の被ガイド部２５ａが切り欠き３１ａ（図３（ｂ）及び図４参照。）から前方へ移動可能となり、スライダ２５のガイドリブ３６の内面３６ａ（図３（ａ）参照。）がリブ３２の端部３２ａ（図３（ｂ）及び図４参照。）に沿うと共にスライダ２５のガイド凸部３５の側面３５ａが枠側プレート２２のガイド凹部３３の側面３３ａに沿って、スライダ２５の端部２８が枠側プレート２２に近づく方向へ移動可能となる。したがって、図５の実線の状態までスライダ２５がストッパ２９のまわりに回動するため、障子側プレート２１と共に障子２が窓枠１内に収納される。
【００２４】
図６は、下ステー（左開きタイプ）の平面図（上方から見た図）であり、障子が最も開いた状態を示しており、図４と同一符号は同一又は相当部分を示している。図４の右開きタイプの下ステー４と図６の左開きタイプの下ステー４ａとは、前後方向の鉛直面に対して対称なものである。また、同様に、右開きタイプの上ステーと左開きタイプの上ステーとは、前後方向の鉛直面に対して対称なものである。また、前記のとおり上ステー３と下ステー４とは水平面に対して略対称に形成されているものであり、枠側プレート２２とは別部品であるストッパ２９，３０のみが水平面に対して対称ではなく、異なる形状の部品となっている。
【００２５】
したがって、本願発明の構成では、右開きタイプの上ステーの枠側プレートと左開きタイプの下ステーの枠側プレートとを共通化することができると共に、右開きタイプの下ステーの枠側プレートと左開きタイプの上ステーの枠側プレートとを共通化することができるため、生産管理の簡素化を図ることができる。また、本願発明の構成では、このように２種類の枠側プレートのみで右開きタイプと左開きタイプの上ステー及び下ステーを構成することができるため、枠側プレート用の金型費の削減によりコスト低減化を図ることができる。
【００２６】
なお、ストッパ２９，３０は、ステーの組立作業の最終工程で取付けられる。そして、係合凸部２９ａ，３０ａを設けたストッパ２９，３０を取付けるか、係合凸部２９ａ，３０ａを設けないストッパ２９，３０を取付けるかを選択することにより、右開きタイプの上ステーと左開きタイプの下ステーとの作り分け及び左開きタイプの上ステーと右開きタイプの下ステーとの作り分けを容易に行うことができる。
【図面の簡単な説明】
【００２７】
【図１】本発明の実施の形態に係る縦すべり出し窓の構成を示す分解斜視図である。
【図２】同じく縦断正面図である。
【図３】上下一対の窓用ステー（右開きタイプ）の例を示す斜視図であり、（ａ）は上ステーを（ｂ）は下ステーを示している。
【図４】下ステー（右開きタイプ）の平面図（上方から見た図）であり、障子が最も開いた状態を示している。
【図５】下ステー（右開きタイプ）の平面図（上方から見た図）であり、障子が閉じた状態（実線）及び障子が閉じた状態と最も開いた状態との中間位置にある状態（２点鎖線）を示している。
【図６】下ステー（左開きタイプ）の平面図（上方から見た図）であり、障子が最も開いた状態を示している。
【符号の説明】
【００２８】
１  窓枠
２  障子
３  上ステー（右開きタイプ）
４  下ステー（右開きタイプ）
４ａ  下ステー（左開きタイプ）
５  上枠
６  下枠
７，８  縦枠
９  上框
１０  下框
１１，１２縦框
１４  載置部
１５  係合凹部又は係合穴
１６  係合凹部又は係合穴
２１  障子側プレート
２２  枠側プレート
２３  ガイドレール
２４  アーム
２５  スライダ
２６  アームの端部
２７  アームの端部
２８  スライダの端部
２９，３０  ストッパ
２９ａ，３０ａ  係合凸部
【図１】
2006104716.tif 000003
【図２】
2006104716.tif 000004
【図３】
2006104716.tif 000005
【図４】
2006104716.tif 000006
【図５】
2006104716.tif 000007
【図６】
2006104716.tif 000008